(57)【要約】【課題】  情報記録媒体を広告媒体に使用することができる広告掲出装置及び広告掲出方法を提供する。【解決手段】  広告掲出装置２は、制御部２１と、受信部２２と、記録再生部２５と、プログラム格納部２７と、印刷部２９と、を備えている。制御部２１は、広告掲出装置２の各部を制御する。受信部２２は、放送局から放送されている番組に関する情報、番組のスケジュールに関する情報、広告に関する情報を受信する。記録再生部２５は、受信した番組をＤＶＤに記録する。印刷部２９は、プログラム格納部２７に記憶された印刷ソフトに従って、録画内容を把握できる情報、及び、広告内容を示す画像をＤＶＤの表面に印字する。【選択図】  図８
2005316147.tif 000002
【特許請求の範囲】
【請求項１】
情報記録媒体に記録する記録情報を受信する記録情報受信手段と、
広告内容を示す広告画像情報を受信する広告画像情報受信手段と、
前記記録情報受信手段により受信した記録情報を情報記録媒体に記録する記録手段と、
前記広告画像情報受信手段により受信した広告画像情報を、前記記録手段により記録情報が記録された情報記録媒体の表面に掲出する掲出手段と、
を備える、ことを特徴とする広告掲出装置。
【請求項２】
前記広告画像情報受信手段は、記録情報受信手段で受信した記録情報に対応した広告画像情報を受信する、ことを特徴とする請求項１に記載の広告掲出装置。
【請求項３】
前記広告画像情報受信手段は、前記記録手段により情報記録媒体に記録情報を記録した時間に対応した広告画像情報を受信する、ことを特徴とする請求項２に記載の広告掲出装置。
【請求項４】
前記掲出手段は、前記記録手段により記録された記録情報の内容が把握できる情報を、前記情報記録媒体の表面に掲出する、ことを特徴とする請求項１乃至３のいずれか１項に記載の広告掲出装置。
【請求項５】
前記記録情報の内容が把握できる情報は、ジャンル、タイトル、記録日時、記録モード、記録可能残時間の少なくとも１つを含む、ことを特徴とする請求項４に記載の広告掲出装置。
【請求項６】
情報記録媒体の表面に広告内容を示す広告画像情報を掲出する広告掲出支援システムであって、
請求項１乃至５のいずれか１項に記載の広告掲出装置を備える、ことを特徴とする広告掲出支援システム。
【請求項７】
情報記録媒体に記録可能な記録情報を記憶する記録情報記憶手段と、広告内容を示す広告画像情報を前記記録情報に対応付けて記憶する広告画像情報記憶手段とを備えるサーバ装置を、さらに備え、
前記サーバ装置は、
前記記録情報記憶手段に記憶された記録情報を送信する記録情報送信手段と、
前記広告画像情報記憶手段に記憶された広告画像情報を送信する広告画像情報送信手段と、を備え、
前記広告画像情報送信手段は、前記記録情報送信手段により送信した記録情報に対応付けられた広告画像情報を送信する、ことを特徴とする請求項６に記載の広告掲出支援システム。
【請求項８】
前記広告画像情報送信手段は、前記記録情報送信手段により記録情報を送信した時間に対応した広告画像情報を送信する、ことを特徴とする請求項７に記載の広告掲出支援システム。
【請求項９】
情報記録媒体に記録する記録情報を受信する記録情報受信ステップと、
広告内容を示す広告画像情報を受信する広告画像情報受信ステップと、
前記記録情報受信ステップで受信した記録情報を情報記録媒体に記録する記録ステップと、
前記広告画像情報受信ステップで受信した広告画像情報を、前記記録ステップで記録情報が記録された情報記録媒体の表面に掲出する掲出ステップと、
を備える、ことを特徴とする広告掲出方法。
【請求項１０】
コンピュータを、
情報記録媒体に記録する記録情報を受信する記録情報受信手段、
広告内容を示す広告画像情報を受信する広告画像情報受信手段、
前記記録情報受信手段により受信した記録情報を情報記録媒体に記録する記録手段、
前記広告画像情報受信手段により受信した広告画像情報を、前記記録手段により記録情報が記録された情報記録媒体の表面に掲出する掲出手段、
として機能させるためのプログラム。
【発明の詳細な説明】
【技術分野】
【０００１】
本発明は、広告掲出装置、広告掲出支援システム及び広告掲出方法に関し、詳しくは、情報記録媒体の表面に広告を掲出する広告掲出装置、広告掲出支援システム及び広告掲出方法に関する。
【背景技術】
【０００２】
顧客に企業等の商品、サービス等に関する様々な広告内容を広告する方法としては、例えば、広告内容を表示したポスターのような広告媒体を所定の広告スペースに掲示する方法が知られている。
【０００３】
商品等の広告においては、商品等をさらに有効的に広告することが求められており、今まで広告媒体として使われていなかった媒体を用いて広告することが検討されている。例えば、顧客がコンビニエンスストア等の複写機で画像を複写した複写用紙の裏面に広告内容に関する画像を印刷することにより商品等を広告する方法が提案されている（例えば、特許文献１）。
【特許文献１】特開２００２−２７９２９２号公報
【発明の開示】
【発明が解決しようとする課題】
【０００４】
ところで、近年、映画等の映像を録画するディジタルバーサタイルディスク（ＤＶＤ）等の情報記録媒体が多くの人に利用されている。かかる情報記録媒体を広告媒体に使用することができれば、さらに有効的な広告を行うことができると考えられる。
【０００５】
本発明は、上記実情に鑑みてなされたものであり、情報記録媒体を広告媒体に使用することができる広告掲出装置及び広告掲出方法を提供することを目的とする。
また、本発明は、情報記録媒体への広告掲出を支援することができる広告掲出支援システムを提供することを目的とする。
【課題を解決するための手段】
【０００６】
上記目的を達成するため、本発明の第１の観点にかかる広告掲出装置は、
情報記録媒体に記録する記録情報を受信する記録情報受信手段と、
広告内容を示す広告画像情報を受信する広告画像情報受信手段と、
前記記録情報受信手段により受信した記録情報を情報記録媒体に記録する記録手段と、
前記広告画像情報受信手段により受信した広告画像情報を、前記記録手段により記録情報が記録された情報記録媒体の表面に掲出する掲出手段と、
を備える、ことを特徴とする。
【０００７】
前記広告画像情報受信手段は、記録情報受信手段で受信した記録情報に対応した広告画像情報を受信してもよい。
【０００８】
前記広告画像情報受信手段は、前記記録手段により情報記録媒体に記録情報を記録した時間に対応した広告画像情報を受信してもよい。
【０００９】
前記掲出手段は、前記記録手段により記録された記録情報の内容が把握できる情報を、前記情報記録媒体の表面に掲出してもよい。
【００１０】
前記記録情報の内容が把握できる情報は、ジャンル、タイトル、記録日時、記録モード、記録可能残時間の少なくとも１つを含むことが好ましい。
【００１１】
本発明の第２の観点にかかる広告掲出支援システムは、
情報記録媒体の表面に広告内容を示す広告画像情報を掲出する広告掲出支援システムであって、
第１の観点にかかる広告掲出装置を備える、ことを特徴とする。
【００１２】
情報記録媒体に記録可能な記録情報を記憶する記録情報記憶手段と、広告内容を示す広告画像情報を前記記録情報に対応付けて記憶する広告画像情報記憶手段とを備えるサーバ装置を、さらに備え、
前記サーバ装置は、
前記記録情報記憶手段に記憶された記録情報を送信する記録情報送信手段と、
前記広告画像情報記憶手段に記憶された広告画像情報を送信する広告画像情報送信手段と、を備え、
前記広告画像情報送信手段は、前記記録情報送信手段により送信した記録情報に対応付けられた広告画像情報を送信することが好ましい。
【００１３】
前記広告画像情報送信手段は、前記記録情報送信手段により記録情報を送信した時間に対応した広告画像情報を送信することが好ましい。
【００１４】
本発明の第３の観点にかかる広告掲出方法は、
情報記録媒体に記録する記録情報を受信する記録情報受信ステップと、
広告内容を示す広告画像情報を受信する広告画像情報受信ステップと、
前記記録情報受信ステップで受信した記録情報を情報記録媒体に記録する記録ステップと、
前記広告画像情報受信ステップで受信した広告画像情報を、前記記録ステップで記録情報が記録された情報記録媒体の表面に掲出する掲出ステップと、
を備える、ことを特徴とする。
【００１５】
本発明の第４の観点にかかるプログラムは、
コンピュータを、
情報記録媒体に記録する記録情報を受信する記録情報受信手段、
広告内容を示す広告画像情報を受信する広告画像情報受信手段、
前記記録情報受信手段により受信した記録情報を情報記録媒体に記録する記録手段、
前記広告画像情報受信手段により受信した広告画像情報を、前記記録手段により記録情報が記録された情報記録媒体の表面に掲出する掲出手段、
として機能させることを特徴とする。
【発明の効果】
【００１６】
本発明によれば、情報記録媒体を広告媒体に使用することができる。
【発明を実施するための最良の形態】
【００１７】
以下、本発明の広告掲出装置、広告掲出支援システム及び広告掲出方法について図面を参照して説明する。本実施の形態では、情報記録媒体としてのディジタルバーサタイルディスク（ＤＶＤ）の表面に広告を掲出（印刷）する場合を例に本発明を説明する。なお、本実施の形態では、情報記録媒体に記録する記録情報として、テレビ局によって放送される番組（配信された映像信号及び音声信号）を受信し、この受信した番組を顧客がＤＶＤに録画する場合を例に本発明を説明する。図１は、広告掲出支援システムの構成を示す図である。
【００１８】
図１に示すように、広告掲出支援システムは、テレビ局１と、テレビ局１から配信された番組（映像信号及び音声信号）を受信および録画可能な広告掲出装置２（２１〜２ｎ）と、を備えている。なお、図１に示すように、広告掲出支援システムは、通信ネットワーク３と、通信ネットワーク３を介して広告主用端末４（４１〜４ｍ）が備えられている。広告主用端末４は、後述するように、ＤＶＤの表面に掲出する画像の登録等に用いられる。
【００１９】
テレビ局１は、サーバ５と、データベース６、とを備えている。図２にサーバ５の構成を示す。図２に示すように、サーバ５は、通信制御部５１と、処理制御部５２と、データ記憶部５３と、を備えている。
【００２０】
通信制御部５１は、例えば、所定の通信装置から構成され、サーバ５と通信ネットワーク３とを接続する。通信制御部５１は、放送する番組（映像信号及び音声信号）を配信する。
【００２１】
処理制御部５２は、通信制御部５１を介して通信を行い、また、各種の情報を処理する。処理制御部５２は、例えば、ＣＰＵ（Central Processing Unit）を備え、データ記憶部５３から読み出した動作プログラムを実行する等により各種の処理を実行する。
【００２２】
データ記憶部５３は、半導体メモリ、磁気ディスク記録装置などから構成され、各種の情報やプログラムを記録する。
【００２３】
データベース６は、広告掲出支援システムに関する各種の情報を記憶するデータベース（ＤＢ）である。図３にデータベース６の構成を示す。図３に示すように、データベース６は、番組情報ＤＢ６１と、番組スケジュール情報ＤＢ６２と、広告情報ＤＢ６３と、広告スケジュール情報ＤＢ６４と、課金情報ＤＢ６５と、を備えている。
【００２４】
番組情報ＤＢ６１は、テレビ局１が配信する番組に関する情報を記憶するデータベースである。番組情報ＤＢ６１には、例えば、図４に示すように、番組番号、番組名、番組内容を示すデータファイル、ジャンル等が記憶されている。
【００２５】
番組スケジュール情報ＤＢ６２は、配信する番組のスケジュールに関する情報を記憶するデータベースである。番組スケジュール情報ＤＢ６２には、例えば、図５に示すように、番組番号、番組開始時間、番組終了時間等が記憶されている。ＢＳデジタル放送における電子番組表（ＥＰＧ：Electronic Program Guide）サービス（番組表や番組関連情報をテレビ画面で閲覧できるサービス）においては、番組内容とともに、この番組スケジュール情報ＤＢ６２及び番組情報ＤＢ６１に記憶されている情報が配信される。
【００２６】
広告情報ＤＢ６３は、広告に関する情報を記憶するデータベースである。広告情報ＤＢ６３には、例えば、図６に示すように、広告番号、広告内容を示す画像のデータファイル等が記憶されている。広告内容を示す画像としては、例えば、広告する企業名や商品名を示す画像の他、キャンペーン情報、クーポンを示す画像がある。また、広告内容を示す画像はバーコードであってもよい。この場合、例えば、利用者がバーコードが印刷されたＤＶＤまたはバーコードを撮影した携帯電話を該当する商店で提示することにより、利用者に割引やクーポン等を提供することができる。この広告情報は、番組配信前に登録されており、広告スケジュール情報ＤＢ６４に登録されているスケジュールに従って、番組スケジュール情報ＤＢ６２及び番組情報ＤＢ６１に記憶されている情報とともに配信される。
【００２７】
広告スケジュール情報ＤＢ６４は、配信する広告のスケジュールに関する情報を記憶するデータベースである。広告スケジュール情報ＤＢ６４には、例えば、図７に示すように、広告番号、広告開始時間、広告終了時間等が記憶されている。
【００２８】
課金情報ＤＢ６５は、広告料金の算出に関する情報を記憶するデータベースである。課金情報ＤＢ６５には、例えば、広告時間（広告開始時間から広告終了時間）、情報記録媒体の表面に広告内容を示す画像を印字した回数等の所定の基準料金が記憶されている。サーバ５は、所定期間ごとに、これらの基準料金から広告料金を算出し、算出した広告料金に関する情報を広告主用端末４に送信する。これにより、広告主に広告料金の請求が行われる。
【００２９】
広告掲載装置２は、例えば、ＤＶＤレコーダのように、テレビ局１から配信される番組等を受信及び録画するとともに、広告内容を示す画像を情報記録媒体の表面に掲出する装置である。図８に広告掲載装置２の構成を示す。図８に示すように、広告掲載装置２は、制御部２１と、受信部２２と、入力部２３と、表示部２４と、記録再生部２５と、計時部２６と、プログラム格納部２７と、出力部２８と、印刷部２９と、を備えている。
【００３０】
制御部２１は、例えば、ＣＰＵや、所定の記憶装置（例えば、ＲＡＭ（Random Access Memory）やＲＯＭ（Read Only Memory）など）から構成され、広告掲出装置２の各部を制御する。
【００３１】
受信部２２は、所定の受信装置から構成され、放送局から放送されている番組（映像信号及び音声信号）を受信する。受信部２２は、複数の放送局の中から選択された放送局を受信できるように、チューナが設けられている。また、受信部２２は、番組に関する情報及び番組のスケジュールに関する情報を受信する。この受信した情報が、例えば、ＢＳデジタル放送における電子番組表となる。さらに、受信部２２は、広告に関する情報（例えば、広告内容を示す画像のデータ）を受信する。
【００３２】
入力部２３は、入力操作を行う、例えば、各種の操作ボタンに接続されている。表示部２４は、例えば、液晶表示装置から構成され、広告掲出装置２の現在の動作状態を表示する。記録再生部２５は、ＤＶＤ等の情報記録媒体を収容する。また、記録再生部２５は、ハードディスク装置などの書換可能な記憶装置を備えていてもよい。記録再生部２５は、制御部２１に制御され、情報記録媒体や記憶装置の読み込み、書き込み（録画）を実行する。計時部２６は、現在の時間を計時する。
【００３３】
プログラム格納部２７は、例えば、ハードディスク装置やＲＯＭなどの所定の記憶装置から構成され、制御部２１が実行する種々の動作プログラム、例えば、ＤＶＤへの録画、再生等が入力部２３からの指示に応じて制御部２１が実行する動作プログラムが格納されている。
【００３４】
また、プログラム格納部２７には、印刷部２９を動作させ、所定の情報を、例えば、ＤＶＤなどの情報記録媒体の表面に印刷させる印刷ソフトが記憶されている。印刷ソフトは、録画した番組名、録画日時等の録画内容を把握できる情報を自動生成して、ＤＶＤの表面に印字する動作プログラムである。また、印刷ソフトは、ＤＶＤに追加録画できる残録画時間を録画モード別に自動計算して、ＤＶＤの表面に印字する動作プログラムである。印字項目としては、ジャンルアイコン、録画日時、録画モード、番組名、録画可能残時間（録画モード別）、企画ロゴ、メディアメーカーロゴなどがある。また、例えば、音楽をＣＤに録音する場合には、印字項目として、ＣＤタイトル、アーティスト名、曲名、メディアメーカーロゴなどがある。
【００３５】
出力部２８は、例えば、テレビ等の表示装置に接続され、受信した映像信号及び音声信号や、記録再生部２５で再生された映像信号及び音声信号を、テレビ受像機等の表示装置に出力する。印刷部２９は、印刷ソフトに従って、ＤＶＤなどの情報記録媒体の表面に所定の情報を印刷する。
【００３６】
なお、広告掲出装置２は、さらに、広告掲出装置２を遠隔操作するリモコン装置を備えていてもよい。この場合、広告掲出装置２には、リモコン装置から送信されてくる制御コードを受信する受信部が別途設けられる。
【００３７】
通信ネットワーク３は、例えば、インターネット、ＬＡＮ（Local Area Network）、ＷＡＮ（Wide Area Network）等から構成されている。
【００３８】
広告主用端末４は、広告掲出支援システムを利用して広告を掲出する企業の担当者等が使用する端末であり、通信機能を有するコンピュータ、携帯端末などから構成されている。
【００３９】
次に、以上のように構成された広告掲出支援システムを用いた広告掲出方法について説明する。なお、広告掲出装置２を所有するユーザが広告掲出支援システムを利用するには、テレビ局１のデータベース６に各情報が登録されていることが前提となる。具体的には、テレビ局１の担当者は、番組情報ＤＢ６１に配信する番組に関する情報を登録するとともに、番組スケジュール情報ＤＢ６２は、配信する番組のスケジュールに関する情報を登録することが必要である。また、広告を掲出する企業側では、その担当者が、例えば、広告主用端末４を操作して広告に関する情報等をテレビ局１のサーバ５に送信する必要がある。そして、広告情報ＤＢ６３に広告に関する情報が登録されるとともに、広告スケジュール情報ＤＢ６４に配信する広告のスケジュールが登録されていることが必要である。また、企業の担当者は、本システムに事前に登録して、例えば、サーバ５（処理制御部５２）により付与されたＩＤ及びパスワードを入力することにより本システムにログインすることができる。以下、広告掲出処理を図９のフローチャートを参照して説明する。
【００４０】
広告掲出装置２を所有するユーザは、入力部２３を操作して、受信したいチャンネルを選択する。制御部２１は、受信部２２のチューナを制御して、入力部２３から入力されたチャンネルにチューニングし（ステップＳ１）、このチャンネルのテレビ局から配信された番組（配信された映像信号及び音声信号）を受信する（ステップＳ２）。
【００４１】
ここで、テレビ局から配信された情報としては、前述のように、番組内容を示す映像信号及び音声信号の他に、配信する番組に関する情報（例えば、番組名、ジャンル）、番組のスケジュールに関する情報（例えば、番組開始時間、番組終了時間）がある。例えば、図４及び図５に示す放送番号：「Ｂ００１」の場合には、番組名：「×××××」、ジャンル：「ＡＢＣＤ」、放送開始時間：「２００４／４／１０ ２０：００」、放送終了時間：「２００４／４／１０ ２０：５４」が配信される。これらの情報は、ＢＳデジタル放送における電子番組表（ＥＰＧ）サービスにおいて、ユーザに提供することができる。
【００４２】
さらに、テレビ局から配信された情報には、この番組の放送時間に対応する時間に配信することが設定されている広告に関する情報（例えば、広告内容を示す画像）がある。例えば、図４及び図５に示す放送番号：「Ｂ００１」の場合には、図７に示すように、この放送時間に対応する広告番号：「Ｋ００１」の広告内容を示す画像（図６に示す広告番号：「Ｋ００１」のデータファイルに格納された広告内容を示す画像）が配信される。この広告内容を示す画像をＤＶＤの表面に印字することにより、ＤＶＤを広告媒体に利用することができ、有効的な広告を行うことができる。
【００４３】
制御部２１は、受信した映像信号及び音声信号を出力部２８に出力することにより、出力部２８に接続されたテレビ等の表示装置に番組を表示させる。ユーザは、入力部２３を操作して番組の録画を指示することにより、テレビに表示された番組を情報記録媒体（ＤＶＤ）に録画することができる。
【００４４】
次に、制御部２１は、ユーザにより番組の録画が指示されたか否かを判別する（ステップＳ３）。制御部２１は、ユーザにより番組の録画が指示されていないと判別した場合には（ステップＳ３；Ｎｏ）、この処理を終了する。
【００４５】
制御部２１は、ユーザにより番組の録画が指示されていると判別した場合には（ステップＳ３；Ｙｅｓ）、入力部２３からの指示に応じて録画処理を行う（ステップＳ４）。具体的には、制御部２１は、プログラム格納部２７に格納された録画処理の動作プログラムを読み出し、このプログラムに従って記録再生部２５等の広告掲出装置２の各部を制御する。
【００４６】
なお、タイマによる予約録画の場合、制御部２１は、計時部２６から現在の時間を取得し、この取得した時間が予約開始時間か否かを判別し、予約開始持間であると判別した場合に、録画処理を実行する。また、制御部２１は、予約終了持間か否かを判別し、予約終了持間であると判別した場合に、録画処理を終了する。
【００４７】
録画処理が終了すると、制御部２１は、プログラム格納部２７に格納された印刷ソフトを読み出し、読み出した印刷ソフトに従って、録画した番組名、録画日時等の録画内容を把握できる情報を生成する（ステップＳ５）。また、制御部２１は、ＤＶＤに追加録画できる残録画時間を録画モード別に算出する（ステップＳ６）。番組名は、例えば、番組内容とともに受信された番組に関する情報に基づいて作成される。録画日時は、例えば、計時部２６から取得した時間に基づいて作成される。残録画時間は、記録再生部２５に収容されたＤＶＤに書き込まれた情報量に基づいて録画モード別に算出される。
【００４８】
続いて、制御部２１は、印刷ソフトに従って、生成した録画内容を把握できる情報、及び、広告内容を示す画像をＤＶＤの表面に印字し（ステップＳ７）、この処理を終了する。図１０に印字されたＤＶＤの一例を示す。図１０に示すように、ＤＶＤ７１の表面には、録画日時、番組名、録画モードからなる録画した番組に関する情報７２と、録画可能残時間７３と、広告内容を示す画像７４とが印字されている。このように、ＤＶＤ７１の表面に広告内容を示す画像７４が印字されるので、ＤＶＤを広告媒体に使用することができ、さらに有効的な広告を行うことができる。
【００４９】
広告内容を示す画像７４は、例えば、バーコードであってもよい。この場合、ユーザがバーコードが印刷されたＤＶＤまたはバーコードを撮影した携帯電話を該当する商店で提示し、例えば、ユーザに商品の割引やクーポン等の提供等をすることにより、ＤＶＤを広告媒体に使用することができ、さらに有効的な広告を行うことができる。
【００５０】
また、ＤＶＤ７１の表面に、録画日時、番組名、録画モードからなる録画した番組に関する情報７２と、録画可能残時間７３とが印字されるので、ＤＶＤ７１に記録された情報を読み込むことなく、ＤＶＤ７１に録画されている内容を容易に知ることができる。また、自動的に番組に関する情報が印字されるので、ユーザがＤＶＤ７１のレーベル面に番組に関する情報を記入する必要がなくなる。
【００５１】
以上説明したように、本実施の形態によれば、ＤＶＤ７１の表面に広告内容を示す画像７４が印字されるので、ＤＶＤを広告媒体に使用することができ、さらに有効的な広告を行うことができる。
【００５２】
また、本実施の形態によれば、ＤＶＤ７１の表面に、録画日時、番組名、録画モードからなる録画した番組に関する情報７２と、録画可能残時間７３とが印字されるので、ユーザがＤＶＤ７１に録画されている内容を容易に知ることができる。
【００５３】
なお、本発明は、上記の実施の形態に限られず、種々の変形、応用が可能である。以下、本発明に適用可能な他の実施の形態について説明する。
【００５４】
上記実施の形態では、テレビ局１から番組に関する情報と広告に関する情報とを同時に配信する場合を例に本発明を説明したが、番組に関する情報と広告に関する情報とを異なるタイミングで配信してもよい。例えば、広告掲出装置２により番組を録画すると、広告掲出装置２の制御部２１が番組を録画する旨の情報をテレビ局１のサーバ５に送信し、この情報を受信したサーバ５が広告に関する画像を送信された広告掲出装置２に配信してもよい。
【００５５】
上記実施の形態では、テレビ局１から配信される番組をＤＶＤに録画する広告掲出装置２の場合を例に本発明を説明したが、例えば、図１１に示すように、情報配信会社１０１から通信ネットワーク３を介して配信される音楽等の情報をＣＤ−Ｒのような情報記録媒体に記録するものであってもよい。この場合、広告掲出装置２は、通信ネットワーク３を介して配信される音楽等を受信してＣＤ−Ｒに記録するとともに、通信ネットワーク３を介して配信される音楽に関する情報及び広告に関する画像を受信してＣＤ−Ｒの表面に印字する。この場合にも、ＣＤ−Ｒを広告媒体に使用することができ、さらに有効的な広告を行うことができる。
【００５６】
また、このような広告掲出支援システムにおける広告掲出装置２のプログラム格納部２７に格納される印刷ソフトとしては、記録したファイル名、フォルダー名、記録日時等、ディスクの内容を把握できる情報を自動生成して、ディスク上に印字する動作プログラムがある。例えば、音楽をＣＤ−Ｒに記録する場合には、ＣＤＤＢから曲名情報を取得して、ディスク上に印字する。また、追記可能な残容量を計算して、ディスク上に印字する。印字項目としては、例えば、ボリューム名（ディスクタイトル）、ディレクトリーツリー（またはファイル名）、記録可能残容量、最終記録日がある。
【００５７】
上記実施の形態では、ＤＶＤ７１の表面に、録画日時、番組名、録画モードからなる録画した番組に関する情報７２と、録画可能残時間７３と、広告内容を示す画像７４とが印字される場合を例に本発明を説明したが、少なくとも広告内容を示す画像７４が印字されていればよく、番組に関する情報７２や録画可能残時間７３が印字されていなくともよい。ＤＶＤ７１の表面に印字される情報はこれらに限定されるものではなく、これ以外の各種の情報を印字してもよい。
【００５８】
本発明の実施形態にかかる広告掲出装置２及びサーバ５は、専用のシステムによらず、通常のシステムを用いて実現可能である。例えば、上述の処理を実行するためのプログラムを格納した記録媒体（フレキシブルディスク、ＣＤ−ＲＯＭなど）から当該プログラムをインストールすることにより、上述の処理を実行する広告掲出装置２及びサーバ５を構成することができる。
【００５９】
そして、これらのプログラムを供給するための手段は任意である。上述のように所定の記録媒体を介して供給できる他、例えば、通信回線、通信ネットワーク、通信システムなどを介して供給してもよい。この場合、例えば、通信ネットワークの掲示板（ＢＢＳ）に当該プログラムを掲示し、これをネットワークを介して搬送波に重畳して提供してもよい。そして、このように提供されたプログラムを起動し、ＯＳの制御下で、他のアプリケーションプログラムと同様に実行することにより、上述の処理を実行することができる。
【図面の簡単な説明】
【００６０】
【図１】本発明の実施の形態の広告掲出支援システムの構成を示す図である。
【図２】図１のサーバの構成を示す図である。
【図３】図１のデータベースの構成を示す図である。
【図４】番組情報データベースの構成を示す図である。
【図５】番組スケジュール情報データベースの構成を示す図である。
【図６】広告情報データベースの構成を示す図である。
【図７】広告スケジュール情報データベースの構成を示す図である。
【図８】広告掲出装置の構成を示す図である。
【図９】広告掲出処理を説明するためのフローチャートである。
【図１０】表面に広告情報等が印字された状態のＤＶＤの一例を示す図である。
【図１１】他の実施の形態の広告掲出支援システムの構成を示す図である。
【符号の説明】
【００６１】
１  テレビ局
２  広告掲出装置
３  通信ネットワーク
４  広告主用端末
５  サーバ
６  データベース
２１  制御部 
２２  受信部
２３  入力部
２４  表示部
２５  記録再生部
２６  計時部
２７  プログラム格納部
２８  出力部
２９  印刷部
６１  番組情報ＤＢ
６２  番組スケジュール情報ＤＢ
６３  広告情報ＤＢ
６４  広告スケジュール情報ＤＢ
６５  課金情報ＤＢ
【図１】
2005316147.tif 000003
【図２】
2005316147.tif 000004
【図３】
2005316147.tif 000005
【図４】
2005316147.tif 000006
【図５】
2005316147.tif 000007
【図６】
2005316147.tif 000008
【図７】
2005316147.tif 000009
【図８】
2005316147.tif 000010
【図９】
2005316147.tif 000011
【図１０】
2005316147.tif 000012
【図１１】
2005316147.tif 000013